(57)【要約】      （修正有）【課題】開閉操作が容易であり、生産性を向上させたスラックスの二重ポケットを提供する。【解決手段】後縁に出し入れ開口を具える方形のポケット用袋体と、後縁にファスナー付きの出し入れ開口を具え、ポケット用袋体と比べて縦幅と横幅が短い方形の小型ポケット用袋体を、それらの上縁と後側縁を揃えて前身頃と後身頃に縫製し、それらの両底縁を上下に、それらの両前縁を前後に齟齬させてスラックスの少なくとも一方の側脇にポケットと小型ポケットを夫々開口配備してなる。【選択図】図２
0003158832.tif 000002
【実用新案登録請求の範囲】
【請求項１】
後縁に出し入れ開口を具える方形の通常型ポケット用袋体と、後縁にファスナー付きの出し入れ開口を具え、その縦幅と横幅が前記方形の通常型ポケット用袋体に対して夫々短い方形の小型ポケット用袋体とを、それらの上縁と後側縁を揃えて前身頃と後身頃に縫製し、それらの両底縁を上下に、それらの両前縁を前後に齟齬させてスラックスの少なくとも一方の側脇に通常型ポケットと小型ポケットを夫々開口配備してなるスラックスの二重ポケット。
【請求項２】
前記方形の通常型ポケット用袋体の外面部の内面に通常用外面口部当布を縫製装備してなる請求項１のスラックスの二重ポケット。
【請求項３】
前記方形の通常型ポケット用袋体の内面部の内面に通常用内面口部当布を装備してなる請求項１のスラックスの二重ポケット。
【請求項４】
前記方形の小型ポケット用袋体の外面部の内面に小型用外面口部当布を装備してなる請求項１のスラックスの二重ポケット。
【請求項５】
前記小型用外面口部当布の反対面に前記ファスナーの一方部を取付けて配備してなる請求項１のスラックスの二重ポケット。
【請求項６】
前記方形の小型ポケット用袋体の内面部の内面に小型用内面口部当布を装備してなる請求項１のスラックスの二重ポケット。
【請求項７】
前記小型用内面口部当布の反対面に前記ファスナーの他方部を取付けてなる請求項１のスラックスの二重ポケット。
【考案の詳細な説明】
【技術分野】
【０００１】
本考案は、スラックスの二重ポケットに関するものである。
【背景技術】
【０００２】
特許文献１には、既製のスラックスの通常のポケット内部の内側布地裏に、ファスナー開閉口付き布製の貴重品保管用ポケットを縫着して、携行貴重品の保管と出し入れを通常のポケット経由にて出来るようにした貴重品保管用ポケットを配備するスラックスの二重ポケットが提案されている。
【０００３】
特許文献２には、前ポケットの向当布或は前身頃布の各上方位置に、ウエスト帯線とほぼ直交する状態で巾約３ｃｍ程度のコイン入れ口を穿設し、その裏面側には当布を縫着してコイン貯留用の布袋を形成し、且つコイン入れ口の穿設された向当布の前方垂直部或は前身頃布の下方位置に一定長（７〜１０ｃｍ程度）のコイン取出口を設けしめたコインポケットを配備するスラックスの二重ポケットが提案されている。
【先行技術文献】
【特許文献】
【０００４】
【特許文献１】実開平１−１１４６１１号公報
【特許文献２】特開平６２−９２９０号公報
【考案の概要】
【考案が解決しようとする課題】
【０００５】
特許文献１は、貴重品保管用ポケットが通常のポケットの内部の内側布地裏に縫着されるものであるから、その収容重量の全体が通常のポケットにかかり、生地を傷め、型くずれを起こすものである。また、ファスナー付きの開口部が通常のポケットの内側にあるため、開閉操作が容易ではなく、貴重品の出し入れが面倒である。
【０００６】
特許文献２は、コイン収容ポケットに機能を特化した点は優れているが、コイン入り口から一個ずついれるのは使い勝手において面倒である。
【０００７】
本考案は、前記特許文献１及び２における上記欠点を夫々解消し、スラックスの二重ポケットの使用上の便利性と製作上の生産性を向上することを目的に案出したものである。
【課題を解決するための手段】
【０００８】
後縁に出し入れ開口を具える方形の通常型ポケット用袋体と、後縁にファスナー付きの出し入れ開口を具え、その縦幅と横幅が前記方形の通常型ポケット用袋体に対して夫々短い方形の小型ポケット用袋体を、それらの上縁と後側縁を揃えて前身頃と後身頃に縫製し、それらの両底縁を上下に、それらの両前縁を前後に齟齬させてスラックスの少なくとも一方の側脇に通常型ポケットと小型ポケットを夫々開口配備してなるスラックスの二重ポケットにある。
【０００９】
前記方形の通常型ポケット用袋体の外面部の内面に通常用外面口部当布を縫製装備してもよいものである。
【００１０】
前記方形の通常型ポケット用袋体の内面部の内面に通常用内面口部当布を装備してもよいものである。
【００１１】
前記方形の小型ポケット用袋体の外面部の内面に小型用外面口部当布を装備してもよいものである。
【００１２】
前記小型用外面口部当布の反対面に前記ファッスナーの一方部を取付けて配備してもよいものである。
【００１３】
前記方形の小型ポケット用袋体の内面部の内面に小型用内面口部当布を装備してもよいものである。
【００１４】
前記小型用内面口部当布の反対面に前記ファスナーの他方部を取付けてもよいものである。
【考案の効果】
【００１５】
本考案は、前述のように構成されているので、ポケットの収容部の下縁が上下に分かれ、可及的脹らみを緩和することができるものである。また、ファスナーを付けることでポケットが浅くても安心して使用できる。
【００１６】
また、本考案は、前述のように構成されているので、スラックスの通常型ポケットは、外観上のデザイン性と出し入れ時の滑り性を向上するものである。
【００１７】
また、本考案は、前述のように構成されているので、スラックスの小型ポケットの二重ポケットは、外観上のデザイン性と出し入れ時の滑り性と堅牢性を向上するものである。
【００１８】
また、本考案は、方形の通常型ポケット用袋体と方形の小型ポケット用袋体が前述のように縫製することができるから生産性がよいものである。
【図面の簡単な説明】
【００１９】
【図１】図１は、本考案のスラックスの二重ポケットを示す部分外面図である。
【図２】図２は、同じく、本考案のスラックスの二重ポケットの縫製順序を示す部分内面図である。
【図３】図３は、同じく、本考案のスラックスの二重ポケットの縫製が完了した状態の部分内面図である。
【図４】図４は、他の実施例として方形の通常型ポケット用袋体の外面部の内面に装備される通常用外面口部当布単体の平面図である。
【図５】図５は、同じく、他の実施例として方形の通常型ポケット用袋体の内面部の内面に装備される通常用内面口部当布単体の平面図である。
【図６】図６は、他の実施例として方形の小型ポケット用袋体の外面部の内面に装備される小型用外面口部当布単体の装備面から見た説明図である。
【図７】図７は、同じく、他の実施例としてその小型用外面口部当布の反対面にファスナーの一方部を取付けた状態を示す説明図である。
【図８】図８は、他の実施例として通常用内面口部当布と小型用外面口部当布を組合せた状態の説明図である。
【図９】図９は、通常用内面口部当布と小型用外面口部当布を組み合わせた状態の説明図である。
【図１０】図１０は、他の実施例として方形の小型ポケット用袋体の開口部の内面部２ｂの内面に装備される小型用内面口部当布単体の装備面から見た説明図である。
【図１１】図１１は、同じく、他の実施例としてその小型用内面口部当布の反対面にファスナーの他方部を取付けた状態を示す説明図である。
【図１２】図１２は、他の実施例の部材を用いて構成したスラックスの二重ポケットの部分外面図である。
【考案を実施するための形態】
【００２０】
後縁に出し入れ開口を具える方形の通常型ポケット用袋体と、後縁にファスナー付きの出し入れ開口を具え、その縦幅と横幅が前記方形の通常型ポケット用袋体に対して夫々短い方形の小型ポケット用袋体を、それらの上縁と後側縁を揃えて前身頃と後身頃に縫製し、それらの両底縁を上下に、それらの両前縁を前後に齟齬させてスラックスの少なくとも一方の側脇に通常型ポケットと小型ポケットを夫々開口配備してなるスラックスの二重ポケットにあって、前記方形の通常型ポケット用袋体の外面部の内面に通常用外面口部当布を縫製装備し、前記方形の通常型ポケット用袋体の内面部の内面に通常用内面口部当布を装備し、前記方形の小型ポケット用袋体の外面部の内面に小型用外面口部当布を装備し、前記小型用外面口部当布の反対面に前記ファスナーの一方部を取付けて配備し、前記方形の小型ポケット用袋体の内面部の内面に小型用内面口部当布を装備し、前記小型用内面口部当布の反対面に前記ファスナーの他方部を取付けてなるスラックスの二重ポケット。
【実施例】
【００２１】
以下、本考案のスラックスの二重ポケットの構造を実施の一例として示す図面により説明すると、スラックス１の側脇に配備される方形の通常型ポケット用袋体２を、所要布地を二つ折りして外面部２ａと内面部２ｂを配備すると共に、その底縁２ｃを縫製し、上縁２ｄと後縁２ｅを開口して設ける。前記方形の通常型ポケット用袋体２の内面部２ｂにおいて、底縁２ｃより内面に内布３を縫製してコインポケット４を設けている。
【００２２】
次に、前記方形の通常型ポケット用袋体２に比較して縦幅と横幅が短い方形の小型ポケット用袋体５を、前記方形の通常型ポケット用袋体２と同様に、所要布地を二つ折りして外面部５ａと内面部５ｂを配備すると共に、その底縁５ｃを縫製し、上縁５ｄと後縁５ｅを開口して設ける。前記方形の小型ポケット用袋体５の外面部５ａにおいて、その後縁５ｅよりに、後縁５ｅに沿って縦向き開口５ｆを設け、この縦向き開口５ｆを開閉するファスナー６を設けている。
【００２３】
次に、図２に示すように、ベルト地７と前身頃８と後身頃９を縫い合わせるときに、前身頃８の裏に前記方形の通常型ポケット用袋体２と方形の小型ポケット用袋体５を、夫々の上縁２ｄ、５ｄと夫々の後縁２ｅ、５ｅを一致させて重ね合わせて置き、ベルト地７、前身頃８、前記方形の通常型ポケット用袋体２の上縁２ｄと方形の小型ポケット用袋体５の上縁５ｄを揃えて縫い合わせる。
【００２４】
次に、前身頃８と後身頃９を縫い合わせる部分、サイドシームの縫い代８ａ、９ａと、前記方形の通常型ポケット用袋体２と方形の小型ポケット用袋体５の右端を揃えて縫い合わせる。
【００２５】
次に、前記ベルト地７の上部に縫い合わせた腰裏１０を、前身頃８と後身頃９に縫い合わせた前記方形の通常型ポケット用袋体２と方形の小型ポケット用袋体５を覆い隠すように、ベルト地７の下部と腰裏１０の下部とを縫い合わせ、通常型ポケット用袋体２と方形の小型ポケット用袋体５からなる通常型ポケットと小型ポケットの二重ポケットがスラックス１に縫製される。そして、その実施の一例は、図３に示すようになる。
【００２６】
他の実施例として方形の通常型ポケット用袋体２の外面部２ａの内面に通常用外面口部当布１１を縫製装備してもよいものである。
【００２７】
他の実施例として方形の通常型ポケット用袋体２の内面部２ｂの内面に通常用内面口部当布１２を装備してもよいものである。
【００２８】
他の実施例として方形の小型ポケット用袋体５の外面部５ａの内面に小型用外面口部当布１３を装備してもよいものである。
【００２９】
他の実施例として前記小型用外面口部当布１３の反対面に前記ファッスナー６の一方部６ａを取付けて配備してもよいものである。
【００３０】
他の実施例として方形の小型ポケット用袋体５の内面部５ｂの内面に小型用内面口部当布１４を装備してもよいものである。
【００３１】
他の実施例として前記小型用内面口部当布１４の反対面に前記ファスナー６の他方部６ｂを取付けてもよいものである。
【００３２】
本考案のスラックスの通常型ポケットと小型ポケットの二重ポケットは、前述のように構成されるから、小型ポケットは、ファスナー付きであり、セカンドポケットとして、通常のポケットより浅く、かつ外形を小さくすることにより、ポケットに物を入れた状態で嵩張りを防ぎ、外見でポケットの脹らみが緩和される。また、ファスナーを付けることでポケットが浅くても安心して使用できる。
【００３３】
また、他の実施例として説明した本考案のスラックスの通常型ポケットは、方形の通常型ポケット用袋体２の外面部２ａの内面に通常用外面口部当布１１を縫製装備し、同じく、方形の通常型ポケット用袋体２の内面部２ｂの内面に通常用内面口部当布１２を装備し、これらは、身頃と同一の生地又は同等生地で形成して外観上のデザイン性と出し入れ時の滑り性の向上を図るものである。
【００３４】
また、他の実施例として説明した本考案のスラックスの小型ポケットの二重ポケットは、方形の小型ポケット用袋体５の外面部２ａの内面に小型用外面口部当布１３を装備し、その小型用外面口部当布１３の反対面にファスナー６の一方部６ａを取付けて配備し、方形の小型ポケット用袋体５の内面部２ｂの内面に小型用内面口部当布１４を装備し、その小型用内面口部当布１４の反対面にファスナー６の他方部６ｂを取付け、これらは、身頃と同一の生地又は同等生地で形成して外観上のデザイン性と出し入れ時の滑り性と堅牢性の向上を図るものである。
【００３５】
本考案のスラックスの小型ポケットの二重ポケットは、方形の通常型ポケット用袋体２と方形の小型ポケット用袋体５が前述のように縫製することができるから生産性がよい。
【産業上の利用可能性】
【００３６】
本考案のスラックスの通常型ポケットと小型ポケットの二重ポケットは、外観上のデザイン性と出し入れの円滑性と堅牢性を付与しスラックスのデザインと品質と生産性の向上に寄与するものである。
【符号の説明】
【００３７】
１  スラックス
２  方形の通常型ポケット用袋体
２ａ  外面部
２ｂ  内面部
２ｃ  底縁
２ｄ  上縁
２ｅ  後縁
３  内布
４  コインポケット
５  方形の小型ポケット用袋体
５ａ  外面部
５ｂ  内面部
５ｃ  底縁
５ｄ  上縁
５ｅ  後縁
５ｆ  縦向き開口
６  ファスナー
６ａ  一方部
６ｂ  他方部
７  ベルト地
８  前身頃
８ａ  サイドシームの縫い代
９  後身頃
９ａ  サイドシームの縫い代
１０  腰裏
１１  通常用外面口部当布
１２  通常用内面側口部当布
１３  小型用外面口部当布
１４  小型用内面口部当布
【図１】
0003158832.tif 000003
【図２】
0003158832.tif 000004
【図３】
0003158832.tif 000005
【図４】
0003158832.tif 000006
【図５】
0003158832.tif 000007
【図６】
0003158832.tif 000008
【図７】
0003158832.tif 000009
【図８】
0003158832.tif 000010
【図９】
0003158832.tif 000011
【図１０】
0003158832.tif 000012
【図１１】
0003158832.tif 000013
【図１２】
0003158832.tif 000014
【手続補正書】
【提出日】平成22年1月8日(2010.1.8)
【手続補正１】
【補正対象書類名】明細書
【補正対象項目名】０００４
【補正方法】変更
【補正の内容】
【０００４】
【特許文献１】実開平１−１１４６１１号公報
【特許文献２】実公昭６２−９２９０号公報
【手続補正書】
【提出日】平成22年2月18日(2010.2.18)
【手続補正１】
【補正対象書類名】実用新案登録請求の範囲
【補正対象項目名】全文
【補正方法】変更
【補正の内容】
【実用新案登録請求の範囲】
【請求項１】
後縁に出し入れ開口を具える方形のポケット用袋体と、後縁にファスナー付きの出し入れ開口を具え、その縦幅と横幅が前記方形のポケット用袋体に対して夫々短い方形の小型ポケット用袋体とを、それらの上縁と後側縁を揃えて前身頃と後身頃に縫製し、それらの両底縁を上下に、それらの両前縁を前後に齟齬させてスラックスの少なくとも一方の側脇にポケットと小型ポケットを夫々開口配備してなるスラックスの二重ポケット。
【請求項２】
前記方形のポケット用袋体の外面部の内面に外面口部当布を縫製装備してなる請求項１のスラックスの二重ポケット。
【請求項３】
前記方形のポケット用袋体の内面部の内面に内面口部当布を装備してなる請求項１のスラックスの二重ポケット。
【請求項４】
前記方形の小型ポケット用袋体の外面部の内面に小型用外面口部当布を装備してなる請求項１のスラックスの二重ポケット。
【請求項５】
前記小型用外面口部当布の反対面に前記ファスナーの一方部を取付けて配備してなる請求項４のスラックスの二重ポケット。
【請求項６】
前記方形の小型ポケット用袋体の内面部の内面に小型用内面口部当布を装備してなる請求項１のスラックスの二重ポケット。
【請求項７】
前記小型用内面口部当布の反対面に前記ファスナーの他方部を取付けてなる請求項６のスラックスの二重ポケット。
【手続補正２】
【補正対象書類名】明細書
【補正対象項目名】全文
【補正方法】変更
【補正の内容】
【考案の詳細な説明】
【技術分野】
【０００１】
本考案は、スラックスの二重ポケットに関するものである。
【背景技術】
【０００２】
特許文献１には、既製のスラックスの通常のポケット内部の内側布地裏に、ファスナー開閉口付き布製の貴重品保管用ポケットを縫着して、携行貴重品の保管と出し入れを通常のポケット経由にて出来るようにした貴重品保管用ポケットを配備するスラックスの二重ポケットが提案されている。
【０００３】
特許文献２には、前ポケットの向当布或は前身頃布の各上方位置に、ウエスト帯線とほぼ直交する状態で巾約３ｃｍ程度のコイン入れ口を穿設し、その裏面側には当布を縫着してコイン貯留用の布袋を形成し、且つコイン入れ口の穿設された向当布の前方垂直部或は前身頃布の下方位置に一定長（７〜１０ｃｍ程度）のコイン取出口を設けしめたコインポケットを配備するスラックスの二重ポケットが提案されている。
【先行技術文献】
【特許文献】
【０００４】
【特許文献１】実開平１−１１４６１１号公報
【特許文献２】実公昭６２−９２９０号公報
【考案の概要】
【考案が解決しようとする課題】
【０００５】
特許文献１は、貴重品保管用ポケットが通常のポケットの内部の内側布地裏に縫着されるものであるから、その収容重量の全体が通常のポケットにかかり、生地を傷め、型くずれを起こすものである。また、ファスナー付きの開口部が通常のポケットの内側にあるため、開閉操作が容易ではなく、貴重品の出し入れが面倒である。
【０００６】
特許文献２は、コイン収容ポケットに機能を特化した点は優れているが、コイン入り口から一個ずついれるのは使い勝手において面倒である。
【０００７】
本考案は、前記特許文献１及び２における上記欠点を夫々解消し、スラックスの二重ポケットの使用上の便利性と製作上の生産性を向上することを目的に案出したものである。
【課題を解決するための手段】
【０００８】
後縁に出し入れ開口を具える方形のポケット用袋体と、後縁にファスナー付きの出し入れ開口を具え、その縦幅と横幅が前記方形のポケット用袋体に対して夫々短い方形の小型ポケット用袋体を、それらの上縁と後側縁を揃えて前身頃と後身頃に縫製し、それらの両底縁を上下に、それらの両前縁を前後に齟齬させてスラックスの少なくとも一方の側脇にポケットと小型ポケットを夫々開口配備してなるスラックスの二重ポケットにある。
【０００９】
前記方形のポケット用袋体の外面部の内面に外面口部当布を縫製装備してもよいものである。
【００１０】
前記方形のポケット用袋体の内面部の内面に内面口部当布を装備してもよいものである。
【００１１】
前記方形の小型ポケット用袋体の外面部の内面に小型用外面口部当布を装備してもよいものである。
【００１２】
前記小型用外面口部当布の反対面に前記ファスナーの一方部を取付けて配備してもよいものである。
【００１３】
前記方形の小型ポケット用袋体の内面部の内面に小型用内面口部当布を装備してもよいものである。
【００１４】
前記小型用内面口部当布の反対面に前記ファスナーの他方部を取付けてもよいものである。
【考案の効果】
【００１５】
本考案は、前述のように構成されているので、ポケットの収容部の下縁が上下に分かれ、可及的脹らみを緩和することができるものである。また、ファスナーを付けることでポケットが浅くても安心して使用できる。
【００１６】
また、本考案は、前述のように構成されているので、スラックスのポケットは、外観上のデザイン性と出し入れ時の滑り性を向上するものである。
【００１７】
また、本考案は、前述のように構成されているので、スラックスの小型ポケットの二重ポケットは、外観上のデザイン性と出し入れ時の滑り性と堅牢性を向上するものである。
【００１８】
また、本考案は、方形のポケット用袋体と方形の小型ポケット用袋体が前述のように縫製することができるから生産性がよいものである。
【図面の簡単な説明】
【００１９】
【図１】図１は、本考案のスラックスの二重ポケットを示す部分外面図である。
【図２】図２は、同じく、本考案のスラックスの二重ポケットの縫製順序を示す部分内面図である。
【図３】図３は、同じく、本考案のスラックスの二重ポケットの縫製が完了した状態の部分内面図である。
【図４】図４は、他の実施例として方形のポケット用袋体の外面部の内面に装備される外面口部当布単体の平面図である。
【図５】図５は、同じく、他の実施例として方形のポケット用袋体の内面部の内面に装備される内面口部当布単体の平面図である。
【図６】図６は、他の実施例として方形の小型ポケット用袋体の外面部の内面に装備される小型用外面口部当布単体の装備面から見た説明図である。
【図７】図７は、同じく、他の実施例としてその小型用外面口部当布の反対面にファスナーの一方部を取付けた状態を示す説明図である。
【図８】図８は、他の実施例として内面口部当布と小型用外面口部当布を組合せた状態の説明図である。
【図９】図９は、内面口部当布と小型用外面口部当布を組み合わせた状態の説明図である。
【図１０】図１０は、他の実施例として方形の小型ポケット用袋体の開口部の内面部の内面に装備される小型用内面口部当布単体の装備面から見た説明図である。
【図１１】図１１は、同じく、他の実施例としてその小型用内面口部当布の反対面にファスナーの他方部を取付けた状態を示す説明図である。
【図１２】図１２は、他の実施例の部材を用いて構成したスラックスの二重ポケットの部分外面図である。
【考案を実施するための形態】
【００２０】
後縁に出し入れ開口を具える方形のポケット用袋体と、後縁にファスナー付きの出し入れ開口を具え、その縦幅と横幅が前記方形のポケット用袋体に対して夫々短い方形の小型ポケット用袋体を、それらの上縁と後側縁を揃えて前身頃と後身頃に縫製し、それらの両底縁を上下に、それらの両前縁を前後に齟齬させてスラックスの少なくとも一方の側脇にポケットと小型ポケットを夫々開口配備してなるスラックスの二重ポケットにあって、前記方形のポケット用袋体の外面部の内面に外面口部当布を縫製装備し、前記方形のポケット用袋体の内面部の内面に内面口部当布を装備し、前記方形の小型ポケット用袋体の外面部の内面に小型用外面口部当布を装備し、前記小型用外面口部当布の反対面に前記ファスナーの一方部を取付けて配備し、前記方形の小型ポケット用袋体の内面部の内面に小型用内面口部当布を装備し、前記小型用内面口部当布の反対面に前記ファスナーの他方部を取付けてなるスラックスの二重ポケット。
【実施例】
【００２１】
以下、本考案のスラックスの二重ポケットの構造を実施の一例として示す図面により説明すると、スラックス１の側脇に配備される方形のポケット用袋体２を、所要布地を二つ折りして外面部２ａと内面部２ｂを配備すると共に、その底縁２ｃを縫製し、上縁２ｄと後縁２ｅを開口して設ける。前記方形のポケット用袋体２の内面部２ｂにおいて、底縁２ｃより内面に内布３を縫製してコインポケット４を設けている。
【００２２】
次に、前記方形のポケット用袋体２に比較して縦幅と横幅が短い方形の小型ポケット用袋体５を、前記方形のポケット用袋体２と同様に、所要布地を二つ折りして外面部５ａと内面部５ｂを配備すると共に、その底縁５ｃを縫製し、上縁５ｄと後縁５ｅを開口して設ける。前記方形の小型ポケット用袋体５の外面部５ａにおいて、その後縁５ｅよりに、後縁５ｅに沿って縦向き開口５ｆを設け、この縦向き開口５ｆを開閉するファスナー６を設けている。
【００２３】
次に、図２に示すように、ベルト地７と前身頃８と後身頃９を縫い合わせるときに、前身頃８の裏に前記方形のポケット用袋体２と方形の小型ポケット用袋体５を、夫々の上縁２ｄ、５ｄと夫々の後縁２ｅ、５ｅを一致させて重ね合わせて置き、ベルト地７、前身頃８、前記方形のポケット用袋体２の上縁２ｄと方形の小型ポケット用袋体５の上縁５ｄを揃えて縫い合わせる。
【００２４】
次に、前身頃８と後身頃９を縫い合わせる部分、サイドシームの縫い代８ａ、９ａと、前記方形のポケット用袋体２と方形の小型ポケット用袋体５の右端を揃えて縫い合わせる。
【００２５】
次に、前記ベルト地７の上部に縫い合わせた腰裏１０を、前身頃８と後身頃９に縫い合わせた前記方形のポケット用袋体２と方形の小型ポケット用袋体５を覆い隠すように、ベルト地７の下部と腰裏１０の下部とを縫い合わせ、ポケット用袋体２と方形の小型ポケット用袋体５からなるポケットと小型ポケットの二重ポケットがスラックス１に縫製される。そして、その実施の一例は、図３に示すようになる。
【００２６】
他の実施例として方形のポケット用袋体２の外面部２ａの内面に外面口部当布１１を縫製装備してもよいものである。
【００２７】
他の実施例として方形のポケット用袋体２の内面部２ｂの内面に内面口部当布１２を装備してもよいものである。
【００２８】
他の実施例として方形の小型ポケット用袋体５の外面部５ａの内面に小型用外面口部当布１３を装備してもよいものである。
【００２９】
他の実施例として前記小型用外面口部当布１３の反対面に前記ファスナー６の一方部６ａを取付けて配備してもよいものである。
【００３０】
他の実施例として方形の小型ポケット用袋体５の内面部５ｂの内面に小型用内面口部当布１４を装備してもよいものである。
【００３１】
他の実施例として前記小型用内面口部当布１４の反対面に前記ファスナー６の他方部６ｂを取付けてもよいものである。
【００３２】
本考案のスラックスのポケットと小型ポケットの二重ポケットは、前述のように構成されるから、小型ポケットは、ファスナー付きであり、セカンドポケットとして、前記方形のポケットより浅く、かつ外形を小さくすることにより、ポケットに物を入れた状態での嵩張りを防ぎ、外見でポケットの脹らみが緩和される。また、ファスナーを付けることでポケットが浅くても安心して使用できる。
【００３３】
また、他の実施例として説明した本考案のスラックスの方形のポケットは、方形のポケット用袋体２の外面部２ａの内面に外面口部当布１１を縫製装備し、同じく、方形のポケット用袋体２の内面部２ｂの内面に内面口部当布１２を装備し、これらは、身頃と同一の生地又は同等生地で形成して外観上のデザイン性と出し入れ時の滑り性の向上を図るものである。
【００３４】
また、他の実施例として説明した本考案のスラックスの小型ポケットの二重ポケットは、方形の小型ポケット用袋体５の外面部２ａの内面に小型用外面口部当布１３を装備し、その小型用外面口部当布１３の反対面にファスナー６の一方部６ａを取付けて配備し、方形の小型ポケット用袋体５の内面部２ｂの内面に小型用内面口部当布１４を装備し、その小型用内面口部当布１４の反対面にファスナー６の他方部６ｂを取付け、これらは、身頃と同一の生地又は同等生地で形成して外観上のデザイン性と出し入れ時の滑り性と堅牢性の向上を図るものである。
【００３５】
本考案のスラックスの小型ポケットの二重ポケットは、方形のポケット用袋体２と方形の小型ポケット用袋体５が前述のように縫製することができるから生産性がよい。
【産業上の利用可能性】
【００３６】
本考案のスラックスのポケットと小型ポケットの二重ポケットは、外観上のデザイン性と出し入れの円滑性と堅牢性を付与しスラックスのデザインと品質と生産性の向上に寄与するものである。
【符号の説明】
【００３７】
１  スラックス
２  方形のポケット用袋体
２ａ  外面部
２ｂ  内面部
２ｃ  底縁
２ｄ  上縁
２ｅ  後縁
３  内布
４  コインポケット
５  方形の小型ポケット用袋体
５ａ  外面部
５ｂ  内面部
５ｃ  底縁
５ｄ  上縁
５ｅ  後縁
５ｆ  縦向き開口
６  ファスナー
６ａ  一方部
６ｂ  他方部
７  ベルト地
８  前身頃
８ａ  サイドシームの縫い代
９  後身頃
９ａ  サイドシームの縫い代
１０  腰裏
１１  外面口部当布
１２  内面側口部当布
１３  小型用外面口部当布
１４  小型用内面口部当布